(57)【特許請求の範囲】
【請求項１】
演奏を行うために演奏者により操作される演奏操作子と、
前記演奏操作子よりも上方に設けられ、面音源を備えた面音源スピーカと、
前記演奏操作子よりも下方に設けられ、点音源を備えた点音源スピーカと、
前記点音源スピーカの放音面と対向する位置に設けられ、前記点音源スピーカの放音面よりも大きな面積を有する第１の音響用振動板と、
前記点音源スピーカの放音面と、前記第１の音響用振動板との間に設けられ、前記点音源スピーカにより発生された振動を前記第１の音響用振動板の面方向に伝搬させるための振動伝搬部とを有し、
前記面音源スピーカは、前記演奏操作子よりも上方に設けられた第２の音響用振動板と、
前記第２の音響用振動板に取り付けられ、前記第２の音響用振動板を楽音信号に基づいて振動させるための振動素子とを有することを特徴とする楽音発生装置。
【請求項２】
前記振動素子が取り付けられた前記第２の音響用振動板に連結している部分に、前記第２の音響用振動板により発生された振動を伝搬させるようにしたことを特徴とする請求項１に記載の楽音発生装置。
【請求項３】
前記演奏操作子の操作に基づくデジタル楽音信号を出力する楽音信号発生手段と、
前記楽音信号発生手段により出力されたデジタル楽音信号に対して、発生すべき楽音信号の遅延、位相、周波数、音量、及び音像の少なくとも何れか１つを補正する処理を含む処理を行う信号処理手段と、
前記信号処理手段により処理されたデジタル楽音信号をアナログ楽音信号に変換する変換手段と、
前記変換手段により変換されたアナログ楽音信号を増幅する増幅手段とを有し、
前記振動素子は、前記増幅手段により増幅されたアナログ楽音信号に基づいて、前記第２の音響用振動板を振動させることを特徴とする請求項１又は２に記載の楽音発生装置。
【請求項４】
前記演奏操作子の操作に基づくデジタル楽音信号を出力する楽音信号発生手段と、
前記楽音信号発生手段により出力されたデジタル楽音信号をアナログ楽音信号に変換する変換手段と、
前記変換手段により変換されたアナログ楽音信号に対して、発生すべき楽音信号の遅延、位相、周波数、音量、及び音像の少なくとも何れか１つを補正する処理を含む処理を行う信号処理手段と、
前記信号処理手段により処理されたアナログ楽音信号を増幅する増幅手段とを有し、
前記振動素子は、前記増幅手段により増幅されたアナログ楽音信号に基づいて、前記第２の音響用振動板を振動させることを特徴とする請求項１又は２に記載の楽音発生装置。
【発明の詳細な説明】
【技術分野】
【０００１】
本発明は、楽音発生装置に関し、特に、音響用振動板を振動させて楽音を発音するために用いて好適なものである。
【背景技術】
【０００２】
従来から、電子楽器では、点音源を備えたラウドスピーカを用いて楽音を発音することが行われている。ところが、このラウドスピーカを用いて楽音を発音させた場合、演奏者や聴衆は、限られた位置から発音された楽音を聞くことになる。したがって、ラウドスピーカを用いると、アコースティックのピアノから発音される楽音を模倣した楽音を発音させることが困難であった。そこで、音響用振動板を設け、この音響用振動板を振動させて楽音を発音する電子楽器が提案されている。
【発明の開示】
【発明が解決しようとする課題】
【０００３】
しかしながら、アコースティックのピアノは大きく、複雑な構造を有するので、音響用振動板を振動させるだけでは、アコースティックのピアノに近い楽音を発生させることが困難であった。
本発明は、このような問題点に鑑みてなされたものであり、アコースティックの楽器に近い楽音を発生させることができるようにすることを目的とする。
【課題を解決するための手段】
【０００４】
本発明の楽音発生装置は、演奏を行うために演奏者により操作される演奏操作子と、前記演奏操作子よりも上方に設けられ、面音源を備えた面音源スピーカと、前記演奏操作子よりも下方に設けられ、点音源を備えた点音源スピーカと、前記点音源スピーカの放音面と対向する位置に設けられ、前記点音源スピーカの放音面よりも大きな面積を有する第１の音響用振動板と、前記点音源スピーカの放音面と、前記第１の音響用振動板との間に設けられ、前記点音源スピーカにより発生された振動を前記第１の音響用振動板の面方向に伝搬させるための振動伝搬部とを有し、前記面音源スピーカは、前記演奏操作子よりも上方に設けられた第２の音響用振動板と、前記第２の音響用振動板に取り付けられ、前記第２の音響用振動板を楽音信号に基づいて振動させるための振動素子とを有することを特徴とする。
【発明の効果】
【０００５】
本発明によれば、アコースティックの楽音から発音された楽音の床からの反射音に近い楽音を発音させることができる。したがって、アコースティックの楽器に近い楽音を発生させることができる。
【発明を実施するための最良の形態】
【０００６】
（第１の実施形態）
次に、図面を参照しながら、本発明の第１の実施形態について説明する。なお、本実施形態では、楽音発生装置が電子楽器である場合を例に挙げて説明する。
図１は、電子楽器の概略構成の一例を示したブロック図である。
図１において、電子楽器１００は、中央処理装置（以下、ＣＰＵと称する）１と、フラッシュメモリ２と、ランダムアクセスメモリ（以下、ＲＡＭと称する）３と、外部記憶媒体装着部４と、外部入出力用インターフェース部５と、信号バス６と、キースキャン回路７と、鍵盤８と、パネルスキャン回路９と、操作パネル１０と、楽音発生部１１と、波形フラッシュメモリ１２と、信号処理部１３と、デジタル／アナログ変換部（以下、Ｄ／Ａ変換部と称する）１４と、パワーアンプ１５と、スピーカ１６と、振動素子１７とを有している。
【０００７】
図１に示すように、ＣＰＵ１、フラッシュメモリ２、ＲＡＭ３、キースキャン回路７、パネルスキャン回路９、楽音発生部１１、外部記憶媒体装着部４、及び外部入出力用インターフェース部５は、それぞれ信号バス６に接続され、相互に通信することが可能である。
【０００８】
（鍵盤）
鍵盤８は、複数の鍵と、それら複数の鍵の各々に対応して設けられた複数の鍵スイッチとを有している。電子楽器のユーザは、前記複数の鍵を押鍵及び離鍵して所望の演奏を行う。
（キースキャン回路）
キースキャン回路７は、鍵盤８の各鍵スイッチのスキャン処理を行うためのものである。
【０００９】
（操作パネル）
操作パネル１０は、各種操作子や表示装置を有している。本実施形態の電子楽器では、表示装置として、例えばＬＣＤ（Liquid Crystal Display；液晶ディスプレイ）が設けられている。このＬＣＤは、各種操作子の選択状態や設定状態等を表示する。
前記操作子として、例えば、電子楽器に電源を供給するための電源スイッチや、電子楽器の設定状態を初期値にリセットするためのリセットスイッチや、テンポや音量を設定するためのダイアルや、音色を選択するための音色選択スイッチ等が設けられている。ただし、前記操作子はこれらのものに限定されるものではないということは言うまでもない。
【００１０】
（パネルスキャン回路）
パネルスキャン回路９は、操作パネル１０に設けられている各種操作子のスキャン処理を行うためのものである。
（ＣＰＵ）
ＣＰＵ１は、本実施形態の電子楽器の全体を統括制御するためのものであり、フラッシュメモリ２に格納されている制御プログラムに従って、ＲＡＭ３をワークメモリとして利用しながら、例えば次のような処理を行う。
【００１１】
ＣＰＵ１は、パネルスキャン回路９によりスキャン処理された結果を入力し、操作パネル１０の操作内容を識別する。
また、ＣＰＵ１は、キースキャン回路７によりスキャン処理された結果を入力して、鍵の操作内容（押鍵及び離鍵）を識別する。
そして、その鍵の操作内容（鍵の押鍵及び離鍵）に基づく演奏データや、操作パネル１０の操作内容に基づくデータを楽音発生部１１に割り当てる処理を行う。
【００１２】
この演奏データは、前記各鍵の操作が押鍵（キーオン）であるか離鍵（キーオフ）であるかを示すキーオン／オフ信号や、音高データである音高や、音量制御データであるベロシティデータや、演奏のテンポの絶対値を示すテンポ情報（以下、必要に応じて単にテンポ情報と称する）や、各鍵の動作スピードに関するキータッチレスポンス信号などから構成される。
なお、ＣＰＵ１は、前述したものの他に種々の処理を行うということは言うまでもない。
【００１３】
（フラッシュメモリ）
フラッシュメモリ２は、読み出し可能なメモリであり、ＣＰＵ１の制御プログラムの他に、種々のデータを格納する。
【００１４】
（ＲＡＭ）
ＲＡＭ３は読み書きが可能なメモリであり、ＣＰＵ１のプログラム実行過程において各種の必要なデータを一時的に記憶したり、編集可能なパラメータデータを記憶したりする記憶領域を有している。このＲＡＭ３の一部あるいは全部はバッテリーバックアップされており、必要なデータを、電子楽器の電源がオフにされても保持しておくことができるようにしている。
【００１５】
（外部記憶装置装着部）
外部記憶媒体装着部４は、例えば、ＣＤ−ＲＷドライブである。そして、ＣＰＵ１は、ＣＤ−ＲＷドライブに装着されたＣＤ−ＲＯＭに記憶されている制御プログラムや各種データを読み出して必要な処理を行う。なお、外部記憶媒体装着部４は、ＣＤ−ＲＷドライブに限定されず、フレキシブルディスク（ＦＤ）装置や、光磁気ディスク（ＭＯ）装置などであってもよいということは言うまでもない。
【００１６】
（外部入出力用インターフェース部）
外部入出力用インターフェース部５は、外部装置との間で、演奏情報などのデータのやり取りを行うためのものである。具体的に、この外部入出力用インターフェース部５は、例えばＭＩＤＩ（Musical Instrument Digital Interface）である。
【００１７】
（波形メモリ）
波形メモリ１２は、音色や音域に応じた種々の楽音波形データを記憶している。なお、本実施形態では、アコースティックのグランドピアノの上方で取得（集音）した集音データに基づく楽音波形データを波形メモリ１２が記憶している。
（楽音発生部）
楽音発生部１１は、前述したようにしてＣＰＵ１により割り当てられた演奏データと、操作パネル１０の操作内容に基づくデータとに基づいて、波形メモリ１２から必要な楽音波形データを読み出し、デジタル楽音信号を発生させる。なお、本実施形態の電子楽器１００では、ステレオ信号を発生させるようにしている。したがって、楽音発生部１１は、右チャネル用のデジタル楽音信号と、左チャネル用のデジタル楽音信号を発生させる。
【００１８】
（信号処理部）
信号処理部１３は、楽音発生部１１で発生されたデジタル楽音信号に対し、遅延処理、音量補正処理、周波数補正処理、位相補正処理、及び音像処理を含む処理を行う機能を有する。これらの処理は、スピーカ１６や音響用振動板２１から、演奏者までの距離等に基づいて行われる。また、この他に、信号処理部１３は、フィルタ処理（ノイズ除去処理）や音質調整、信号レベル（ゲイン）調整等を施す機能も有する。
【００１９】
（Ｄ／Ａ変換部）
Ｄ／Ａ変換部１４は、信号処理部１３で処理されたデジタル楽音信号をアナログ楽音信号に変換する機能を有する。
【００２０】
（パワーアンプ）
パワーアンプ１５は、Ｄ／Ａ変換部１４でＤ／Ａ変換されたアナログ楽音信号に対し、増幅処理を施して適当なレベルに増幅する。
（スピーカ）
スピーカ１６は、パワーアンプ１５で増幅されたアナログ楽音信号を可聴信号として発音するためのものである。このスピーカ１６は、点音源を有し、具体的には、例えばコーンスピーカである。また、本実施形態では、図２に示すように、右チャネル用のスピーカ１６ａと左チャネル用のスピーカ１６ｂとの２つのスピーカを有し、これら２つのスピーカ１６ａ、１６ｂは、鍵盤８よりも下方で演奏者と略正対する位置に設けられている。
【００２１】
（振動素子）
振動素子１７は、図２に示すように、鍵盤８よりも上方で演奏者と略正対する位置に設けられた音響用振動板２１を、パワーアンプ１５で増幅処理が施されたアナログ楽音信号に基づいて振動させるためのものである。具体的に振動素子１７は、所謂ムービングコイルを備えて構成され、誘導性のインピーダンスを有し、電磁力の作用により音響用振動板２１を振動させる。このように、本実施形態では、振動素子１７による音響用振動板２１の振動によって楽音を発音する面音源のスピーカが形成されている。
【００２２】
前述したように、本実施形態の電子楽器１００には、ステレオ信号を発生させるようにしている。このため、右チャネル用の楽音信号に基づいて、音響用振動板２１を振動させるための振動素子１７ａと、左チャネル用の楽音信号に基づいて、音響用振動板２１を振動させるための振動素子１７ｂとが並列に接続されて電子楽器１００に設けられている。これら２つの振動素子１７ａ、１７ｂは、同じ構成を有するものであり、例えば接着剤を用いて音響用振動板２１に取り付けられている。なお、音響用振動板２１は、例えば、スプルース（木）製の板を用いて形成される。
【００２３】
図３に、スピーカ１６ａ、１６ｂから発音された楽音により生じる音圧勾配の分布の一例を示す。図４に、音響用振動板２１から発音された楽音により生じる音圧勾配の分布の一例を示す。図５にアコースティックのグランドピアノから発音された楽音により生じる音圧勾配の分布の一例を示す。なお、図３〜図５に示した音圧勾配の分布は、全て同じ場所で測定されたデータに基づいて作成されたものである。また、図３〜図５では、線が太いほど音圧が大きく、破線よりも実線の方が音圧が大きいことを示している。
図３及び図４に示すように、本実施形態の電子楽器１００から発音される楽音により生じる音圧勾配の分布は、２つの大きな音圧勾配を持ち、図５に示したグランドピアノから発音された楽音により生じる音圧勾配の分布に近似したものになることが分かる。
【００２４】
以上のように本実施形態では、音響用振動板２１を鍵盤８よりも上方に設けると共に、スピーカ１６ａ、１６ｂを鍵盤８よりも下方に設けるようにしたので、演奏者の耳に近い位置（楽音が反射せずに演奏者の耳に伝わる位置）では、音響用振動板２１が振動することにより発音された楽音と、その振動が音響用振動板２１に連結している部分に伝搬することにより発音された楽音とによって（面音源によって発生した楽音によって）、アコースティックのピアノの響板で生じる振動音に近い楽音を発音させることができる。一方、演奏者の足元に近い位置（楽音がどこかで反射してから演奏者の耳に伝わる位置）では、スピーカ１６から発音された楽音と、スピーカ１６の振動がスピーカ１６に連結している部分に伝搬することにより発音された楽音とによって（点音源によって発生した楽音によって）、アコースティックのピアノから発音された楽音の床からの反射音に近い楽音を発音させることができる。
【００２５】
また、本実施形態では、アコースティックのグランドピアノの上方で集音したデータに基づく楽音波形データに基づいて、デジタル楽音信号を生成し、このデジタル楽音信号に対して、遅延処理、音量（音圧）補正処理、周波数補正処理、位相補正処理、及び音像処理を含む処理を行っているので、アコースティックのグランドピアノから発音された楽音の床からの反射音のデータを取得しなくても、そのデータを、アコースティックのグランドピアノの上方で取得した集音データに基づいて生成することができる。これにより、音源装置（楽音発生部）や、楽音波形データや、処理回路を少なくすることができる。
【００２６】
なお、本実施形態では、振動素子１７ａ、１７ｂが、同じ構成を有する場合を例に挙げて説明したが、振動素子１７ａ、１７ｂの質量の合計が、音響用振動板２１の質量と略同じであれば、振動素子１７ａ、１７ｂが、同じ構成を有していなくてもよい。例えば、振動素子１７ａ、１７ｂは、大きさや形状が異なっていてもよい。
【００２７】
また、音響用振動板２１に取り付けられる振動素子１７の数が２つである場合を例に挙げて説明したが、音響用振動板２１に取り付けられる振動素子１７の数は、幾つであってもよい。
【００２８】
さらに、本実施形態のように、音響用振動板２１を、アコースティックのピアノの響板と同じ材質のスプルース（木）製の板を用いて形成すれば、よりアコースティックのピアノに近い音色を再現することができ好ましいが、音響用振動板２１はスプルース（木）製の板に限定されない。例えば、音響用振動板２１が金属製や鋳物製等であってもよい。
【００２９】
また、本実施形態では、電子楽器１００の楽音発生部１１で発生された楽音信号に基づいて音響用振動板２１を振動させるようにしたが、ＣＤプレーヤで発生された楽音信号等、種々の楽音信号に基づいて音響用振動板を振動させることができる。
【００３０】
また、本実施形態では、遅延処理、音量補正処理、周波数補正処理、位相補正処理、及び音像処理を含む処理を行って、アコースティックのグランドピアノから発音された楽音の床からの反射音に近い楽音を発音させるようにしたが、これらの処理に代えて、又は加えて、スピーカ１６ａ、１６ｂの放音面（すなわち前面）を床の方向に向ける構成を採るようにして、アコースティックのグランドピアノから発音された楽音の床からの反射音に近い楽音を発音させるようにしてもよい。
【００３１】
また、音響用振動板２１の質量と、振動素子１７ａ、１７ｂの質量の合計とが略等しくなるようにするのが好ましい。２つの振動素子１７ａ、１７ｂから音響用振動板２１へ振動を伝搬させる際の損失（ロス）を少なくことができ、広い周波数帯域で良好な音響出力を得ることができると共に、アコースティックのグランドピアノと同様に広い範囲で高い音圧勾配を持たせるようにすることができるからである。
【００３２】
（第２の実施形態）
次に、本発明の第２の実施形態について説明する。
前述した第１の実施形態では、デジタル楽音信号に対し、遅延処理、音量補正処理、周波数補正処理、位相補正処理、及び音像処理を含む処理を行ってから、Ｄ／Ａ変換を行うようにした。これに対し、本実施形態では、デジタル楽音信号に対し、Ｄ／Ａ変換を行ってから、遅延処理、音量補正処理、周波数補正処理、位相補正処理、及び音像処理を含む処理を行うようにする。このように本実施形態と前述した第１の実施形態とは、信号処理の一部が異なるだけであるので、以下の説明において、前述した第１の実施形態と同一の部分については、図１〜図５に付した符号と同一の符号を付す等して詳細な説明を省略する。
【００３３】
図６は、電子楽器の概略構成の一例を示したブロック図である。
図６において、電子楽器２００は、ＣＰＵ１と、フラッシュメモリ２と、ＲＡＭ３と、外部記憶媒体装着部４と、外部入出力用インターフェース部５と、信号バス６と、キースキャン回路７と、鍵盤８と、パネルスキャン回路９と、操作パネル１０と、楽音発生部１１と、波形フラッシュメモリ１２と、Ｄ／Ａ変換部６１と、アナログ信号処理部６２と、パワーアンプ１５と、スピーカ１６と、振動素子１７とを有している。
【００３４】
（Ｄ／Ａ変換部）
Ｄ／Ａ変換部６１は、楽音発生部１１で発生されたデジタル楽音信号をアナログ楽音信号に変換する機能を有する。
（アナログ信号処理部）
アナログ信号処理部６２は、Ｄ／Ａ変換部１３でＤ／Ａ変換されたアナログ楽音信号に対し、遅延処理、音量補正処理、周波数補正処理、位相補正処理、及び音像処理を含む処理を行う機能を有する。これらの処理は、スピーカ１６や音響用振動板２１から、演奏者までの距離等に基づいて行われる。また、この他に、アナログ信号処理部６２は、フィルタ処理（ノイズ除去処理）や音質調整、信号レベル（ゲイン）調整等を施す機能も有する。
【００３５】
以上のように、Ｄ／Ａ変換を行ってから、遅延処理、音量補正処理、周波数補正処理、位相補正処理、及び音像処理を含む処理を行うようにしても、前述した第１の実施形態よりも構成が複雑になるが、前述した第１の実施形態と同様に、アコースティックのピアノに近い楽音を発音させることができる。
【００３６】
（第３の実施形態）
次に、本発明の第３の実施形態について説明する。
前述した第１及び第２の実施形態では、スピーカ１６ａ、１６ｂが取り付けられる部分のみが開口しているスピーカボックスに、スピーカ１６ａ、１６ｂを設けるようにした。これに対し、本実施形態では、スピーカ１６ａ、１６ｂをバックロードホーンに設けるようにしている。このように本実施形態と前述した第１及び第２の実施形態とは、主として、スピーカ１６ａ、１６ｂを収容するスピーカボックスの構成が異なるだけであるので、前述した第１及び第２の実施形態と同一の部分については、図１〜図６に付した符号と同一の符号を付す等して詳細な説明を省略する。
【００３７】
図７に示すように、本実施形態の電子楽器３００には、スピーカ１６ａ、１６ｂの背面から出る楽音を、電子楽器３００の前面（スピーカ１６ａ、１６ｂの放音面の下方等）から発音させるためのバックロードホーン７１が設けられている。これにより、高音及び中音の楽音についてはスピーカ１６ａ、１６ｂの放音面から発音し、低音の楽音についてはバックロードホーン７１から発音させることができる。したがって、本実施形態では、第１及び第２の実施形態で説明した効果に加え、図１に示した信号処理部１３や、図６に示したアナログ信号処理部６２で、遅延処理、音量補正処理、周波数補正処理、位相補正処理、及び音像処理を行わなくても、アコースティックのピアノから発音された楽音の床からの反射音に近い楽音を発音することができるという効果が得られる。
【００３８】
ただし、信号処理部１３や、図６に示したアナログ信号処理部６２で、遅延処理、音量補正処理、周波数補正処理、位相補正処理、及び音像処理を行えば、アコースティックのピアノから発音された楽音の床からの反射音により近い楽音を発音することができるようになるということは言うまでもない。
【００３９】
なお、バックロードホーンの数、位置、及び構成は図７に示したものに限定されない。例えば、図８に示すように、鍵盤８よりも下方において、電子楽器の角部（コーナー部）に２つのバックロードホーン８１ａ、８１ｂを設け、これら２つのバックロードホーン８１ａ、８１ｂの前面が、対角方向を向くように電子楽器４００を構成するようにしてもよい。このようなバックロードホーン８１ａ、８１ｂでは、スピーカ１６ａ、１６ｂの背面から出る楽音を、スピーカ１６ａ、１６ｂの放音面の側方等から発音する。
【００４０】
（第４の実施形態）
次に、本発明の第４の実施形態について説明する。
前述した第３の実施形態では、スピーカ１６ａ、１６ｂの背面から出る楽音を、電子楽器３００の前面から発音させるためのバックロードホーン７１、８１を設けるようにした。これに対し、本実施形態では、スピーカボックスの中でスピーカ１６から下方に楽音を発音させ、その発音させた楽音を拡散器で拡散させて電子楽器の側方に発音させるようにしている。このように、本実施形態と前述した第３の実施形態とは、主としてスピーカ１６ａ、１６ｂから楽音を発音させる際の構成の一部が異なるだけであるので、前述した第１〜第３の実施形態と同一の部分については、図１〜図８に付した符号と同一の符号を付す等して詳細な説明を省略する。
【００４１】
図９に示すように、本実施形態の電子楽器５００は、放音面（すなわち前面）を下向きにしてスピーカボックス９１の中に取り付けられたスピーカ１６ａ、１６ｂと、これらスピーカ１６ａ、１６ｂの放音面と対向する位置に取り付けられた拡散器９２ａ、９２ｂとを有している。なお、拡散器９２ａ、９２ｂは、例えば、三角錐状の鉄や木やプラスチック等により形成される。
スピーカ１６ａ、１６ｂから発音された楽音は、拡散器９２ａ、９２ｂにより拡散される。拡散器９２ａ、９２ｂにより拡散された楽音は、スピーカボックス９１の前面及び及び後面に形成された開口部分に伝搬し、この開口部分から外部に向けて発音される。
【００４２】
以上のように本実施形態では、スピーカボックスの中でスピーカ１６から下方に楽音を発音させ、その発音させた楽音を拡散器９２で拡散させて電子楽器５００の側方に発音させるようにしたので、第１〜第３の実施形態で説明した効果に加え、アコースティックのピアノから発音された楽音の床からの反射音に近い楽音を、演奏者以外の聴衆（例えば、電子楽器５００の背面側にいる人）にも聞かせることができるという効果が得られる。
【００４３】
（第５の実施形態）
次に、本発明の第５の実施形態について説明する。
前述した第１〜第４の実施形態では、スピーカ１６の放音面の振動がそのまま空気に伝わるようにして楽音を発音させるようにした。これに対し、本実施形態では、スピーカ１６の放音面の振動を板材に伝搬させ、その板材の振動が空気に伝わるようにして楽音を発音させるようにしている。このように、本実施形態と前述した第１〜第４の実施形態とは、主としてスピーカ１６から楽音を発音させる際の構成の一部が異なるだけであるので、前述した第１〜第４の実施形態と同一の部分については、図１〜図９に付した符号と同一の符号を付す等して詳細な説明を省略する。
【００４４】
図１０に示すように、本実施形態の電子楽器６００には、放音面がスピーカボックス１０３の前面の方向に向くように取り付けられたスピーカ１６と、スピーカボックス１０３の前面の開口部分に取り付けられた下前板１０２と、スピーカ１６の放音面と、下前板１０２との間に取り付けられた振動伝搬部１０１ａ〜１０１ｊとを有している。
【００４５】
下前板１０２は、スピーカ１６から振動伝搬部１０１ａ〜１０１ｊを介して伝搬された振動によって楽音を発生させるためのものである。下前板１０２は、合成木材やスプルース等の木製の板により構成される。このように、本実施形態では、下前板１０２の振動によって楽音を発音する面音源のスピーカが形成されている。
振動伝搬部１０１ａ〜１０１ｊは、スピーカ１６の放音面で発生した振動を、下前板１０２の面方向に伝搬させるためのものである。振動伝搬部１０１ａは、例えば、中空円筒状の鉄により構成される。振動伝搬部１０１ａを構成する中空円筒状の鉄の大きさは、スピーカ１６の放音面の大きさに応じて適宜決定される。一方、振動伝搬部１０１ｂ〜１０１ｊは、直方体状の鉄により構成される。振動伝搬部１０１ｂ〜１０１ｊを構成する直方体状の鉄の長さは、下前板１０２の大きさに応じて適宜決定される。
【００４６】
このように、スピーカ１６の放音面と、下前板１０２との間に鉄製の振動伝搬部１０１ａ〜１０１ｊを設けるようにしたので、スピーカ１６の放音面で発生した振動を、可及的に速く下前板１０２の全面に伝搬させることができると共に、アコースティックのピアノのフレームの振動に基づく楽音と同様の金属の振動に基づく楽音を発生させることができる。したがって、アコースティックのピアノから発音された楽音の床からの反射音に近い楽音を容易に発音することができる。
【００４７】
なお、本実施形態では、スピーカ１６の数が１つの場合を例に挙げて説明したが、スピーカ１６の数は１つに限定されず、いくつであってもよい。また、振動伝搬部１０１の数も１０個の限定されず、いくつであってもよい。
さらに、振動伝搬部１０１を鉄製とすれば、スピーカ１６の放音面で発生した振動を、可及的に速く下前板１０２の全面に伝搬させることができると共に、金属の振動に基づく楽音を発生させることができるので好ましいが、振動伝搬部１０１は鉄製でなくてもよい。例えば、振動伝搬部１０１をスプルース製にしてもよい。また、下前板１０２も木製に限定されるものではない。なお、本実施形態では、振動伝搬部１０１により下前板１０２にスピーカ１６の放音面で発生した振動を十分に伝搬させることができるので、スプルースのような高価な木材を使用せずに、ラワン材のような廉価な木材を使用しても、音質を大きく低下させずに楽音を発生させることができる。
【００４８】
なお、前述した実施形態は、何れも本発明を実施するにあたっての具体化の例を示したものに過ぎず、これらによって本発明の技術的範囲が限定的に解釈されてはならないものである。すなわち、本発明はその技術思想、またはその主要な特徴から逸脱することなく、様々な形で実施することができる。
【図面の簡単な説明】
【００４９】
【図１】本発明の第１の実施形態を示し、電子楽器の概略構成の一例を示したブロック図である。
【図２】本発明の第１の実施形態を示し、電子楽器の概略構造の一例を示した図であり、図２（ａ）は正面図、図２（ｂ）は図２（ａ）のＡ−Ａ´から見た断面図である。
【図３】本発明の第１の実施形態を示し、スピーカから発音された楽音により生じる音圧勾配の分布の一例を示した図である。
【図４】本発明の第１の実施形態を示し、音響用振動板から発音された楽音により生じる音圧勾配の分布の一例を示した図である。
【図５】本発明の第１の実施形態を示し、アコースティックのグランドピアノから発音された楽音により生じる音圧勾配の分布の一例を示した図である。
【図６】本発明の第２の実施形態を示し、電子楽器の概略構成の一例を示したブロック図である。
【図７】本発明の第３の実施形態を示し、電子楽器の概略構造の一例を示した図であり、図７（ａ）は正面図、図７（ｂ）は図７（ａ）のＢ−Ｂ´から見た断面図である。
【図８】本発明の第３の実施形態を示し、電子楽器の概略構造の他の例を示した図であり、図８（ａ）は正面図、図８（ｂ）は図８（ａ）のＣ−Ｃ´から見た断面図である。
【図９】本発明の第４の実施形態を示し、電子楽器の概略構造の他の例を示した図であり、図９（ａ）は正面図、図９（ｂ）は図９（ａ）のＤ−Ｄ´から見た断面図である。
【図１０】本発明の第５の実施形態を示し、電子楽器の概略構造の他の例を示した図であり、図１０（ａ）は正面図、図１０（ｂ）は図１０（ａ）のＥ−Ｅ´から見た断面図である。
【符号の説明】
【００５０】
１  ＣＰＵ
２  フラッシュメモリ
３  ＲＡＭ
４  外部記憶媒体装着部
５  外部入出力用インターフェース部
６  信号バス
７  キースキャン回路
８  鍵盤
９  パネルスキャン回路
１０  操作パネル
１１  楽音発生部
１２  波形メモリ
１３  信号処理部
１４、６１  Ｄ／Ａ変換部
１５  パワーアンプ
１６  スピーカ
１７  振動素子
２１  音響用振動板
６２  アナログ信号処理部
７１、８１  バックロードホーン
９２  拡散器
１０１  振動伝搬部
１０２  下前板
【図１】
0004646765.tif 000002
【図２】
0004646765.tif 000003
【図３】
0004646765.tif 000004
【図４】
0004646765.tif 000005
【図５】
0004646765.tif 000006
【図６】
0004646765.tif 000007
【図７】
0004646765.tif 000008
【図８】
0004646765.tif 000009
【図９】
0004646765.tif 000010
【図１０】
0004646765.tif 000011